(57)【要約】  ユーザ機器（ＵＥ）内のボイス／データハイブリッドモードのための方法。本方法は、第２の無線アクセス技術（ＲＡＴ）離調についての受信された第１のＲＡＴ中断要求に応答して第１のＲＡＴアクティビティを検出することを含む。本方法はまた、検出された第１のＲＡＴアクティビティと第２のＲＡＴ離調アクティビティとの所定の優先度に従って第１のＲＡＴ中断要求を適応的に実行することを含む。受信チェーンがＵＥの第１のＲＡＴモデムと第２のＲＡＴモデムとの間で共有される。
2015507438.tif 000002
【特許請求の範囲】
【請求項１】
ユーザ機器（ＵＥ）内でのワイヤレス通信の方法であって、
第２の無線アクセス技術（ＲＡＴ）離調についての受信された第１のＲＡＴ中断要求に応答して第１のＲＡＴアクティビティを検出することと、
前記検出された第１のＲＡＴアクティビティと第２のＲＡＴ離調アクティビティとの所定の優先度に従って前記第１のＲＡＴ中断要求を適応的に実行することであって、受信チェーンが前記ＵＥの第１のＲＡＴモデムと第２のＲＡＴモデムとの間で共有される、適応的に実行することと
を備える、方法。
【請求項２】
前記第１のＲＡＴ中断要求が前記第２のＲＡＴ離調アクティビティとしてＵＥ発信アクティビティを示すとき、前記第２のＲＡＴ離調を遅延させること
をさらに備える、請求項１に記載の方法。
【請求項３】
前記第１のＲＡＴ中断要求を実行することより前に、ページングサイクル持続時間の増加を要求すること
さらに備える、請求項１に記載の方法。
【請求項４】
前記第１のＲＡＴ中断要求が前記第２のＲＡＴ離調アクティビティとしてＵＥ着信アクティビティを示すとき、前記第２のＲＡＴ離調を実行すること
をさらに備える、請求項１に記載の方法。
【請求項５】
前記第２のＲＡＴ離調を実行することに応答して、低減されたデータレートを検出することと、
所定のデータレートが検出されるまで、報告されたチャネル品質インジケータ（ＣＱＩ）報告を所定の量だけ増加させることと
をさらに備える、請求項４に記載の方法。
【請求項６】
前記第２のＲＡＴ離調を実行するとき、周期的測定を停止させること
をさらに備える、請求項４に記載の方法。
【請求項７】
少なくとも１つの第１のＲＡＴアプリケーションからの前記第２のＲＡＴ離調の通知を阻止すること
をさらに備える、請求項４に記載の方法。
【請求項８】
前記検出された第１のＲＡＴアクティビティとの重複を低減するために前記受信された第１のＲＡＴ中断要求に応答して前記第２のＲＡＴ離調をスケジュールすることをさらに備える、請求項１に記載の方法。
【請求項９】
最大無線リンクコントローラリセット量を検出することと、
前記最大無線リンクコントローラリセット量より前の第１のＲＡＴ中断要求を無視することと
をさらに備える、請求項１に記載の方法。
【請求項１０】
第１のＲＡＴがロングタームエボリューション（ＬＴＥ）を備え、第２のＲＡＴがＣＤＭＡ２０００を備える、請求項１に記載の方法。
【請求項１１】
ユーザ機器（ＵＥ）におけるワイヤレス通信の方法であって、
圏外（ＯｏＳ）イベントに応答して第２の無線アクセス技術（ＲＡＴ）アクティビティとの間で第１の無線アクセス技術（ＲＡＴ）走査を適応的に実行することであって、受信チェーンが前記ＵＥの第１のＲＡＴモデムと第２のＲＡＴモデムとの間で共有される、適応的に実行すること
を備える、方法。
【請求項１２】
第１のＲＡＴ離調との干渉を低減するために第２のＲＡＴシステム収集を適応的に実行することをさらに備える、請求項１１に記載の方法。
【請求項１３】
第１のＲＡＴがＣＤＭＡ２０００を備え、第２のＲＡＴがロングタームエボリューション（ＬＴＥ）を備える、請求項１１に記載の方法。
【請求項１４】
メモリと、
前記メモリに結合された少なくとも１つのプロセッサと
を備える、ユーザ機器（ＵＥ）内でのワイヤレス通信のために構成された装置であって、前記少なくとも１つのプロセッサが、
第２の無線アクセス技術（ＲＡＴ）離調についての受信された第１のＲＡＴ中断要求に応答して第１のＲＡＴアクティビティを検出することと、
前記検出された第１のＲＡＴアクティビティと第２のＲＡＴ離調アクティビティとの所定の優先度に従って前記第１のＲＡＴ中断要求を適応的に実行することであって、受信チェーンが前記ＵＥの第１のＲＡＴモデムと第２のＲＡＴモデムとの間で共有される、適応的に実行することと
を行うように構成された、装置。
【請求項１５】
前記プロセッサは、前記第１のＲＡＴ中断要求が前記第２のＲＡＴ離調アクティビティとしてＵＥ発信アクティビティを示すとき、前記第２のＲＡＴ離調を遅延させるようにさらに構成された、請求項１４に記載の装置。
【請求項１６】
前記プロセッサが、前記第１のＲＡＴ中断要求を実行することより前に、ページングサイクル持続時間の増加を要求するようにさらに構成された、請求項１４に記載の装置。
【請求項１７】
前記プロセッサは、前記第１のＲＡＴ中断要求が前記第２のＲＡＴ離調アクティビティとしてＵＥ着信アクティビティを示すとき、前記第２のＲＡＴ離調を実行するようにさらに構成された、請求項１４に記載の装置。
【請求項１８】
前記プロセッサが、
前記第２のＲＡＴ離調を実行することに応答して、低減されたデータレートを検出することと、
所定のデータレートが検出されるまで、報告されたチャネル品質インジケータ（ＣＱＩ）報告を所定の量だけ増加させることと
を行うようにさらに構成された、請求項１７に記載の装置。
【請求項１９】
前記プロセッサが、前記第２のＲＡＴ離調を実行するとき、周期的測定を停止させるようにさらに構成された、請求項１７に記載の装置。
【請求項２０】
前記プロセッサが、少なくとも１つの第１のＲＡＴアプリケーションからの前記第２のＲＡＴ離調の通知を阻止するようにさらに構成された、請求項１７に記載の装置。
【請求項２１】
前記プロセッサが、前記検出された第１のＲＡＴアクティビティとの重複を低減するために前記受信された第１のＲＡＴ中断要求に応答して前記第２のＲＡＴ離調をスケジュールするようにさらに構成された、請求項１４に記載の装置。
【請求項２２】
前記プロセッサが、
最大無線リンクコントローラリセット量を検出することと、
前記最大無線リンクコントローラリセット量より前の第１のＲＡＴ中断要求を無視することと
を行うようにさらに構成された、請求項１４に記載の装置。
【請求項２３】
前記第１のＲＡＴがロングタームエボリューション（ＬＴＥ）を備え、前記第２のＲＡＴがＣＤＭＡ２０００を備える、請求項１４に記載の装置。
【請求項２４】
ユーザ機器（ＵＥ）内でのワイヤレス通信のために構成されたコンピュータプログラム製品であって、前記コンピュータプログラム製品が、
非一時的プログラムコードを記録したコンピュータ可読媒体を備え、前記プログラムコードは、
第２の無線アクセス技術（ＲＡＴ）離調についての受信された第１のＲＡＴ中断要求に応答して第１のＲＡＴアクティビティを検出するためのプログラムコードと、
前記検出された第１のＲＡＴアクティビティと第２のＲＡＴ離調アクティビティとの所定の優先度に従って前記第１のＲＡＴ中断要求を適応的に実行するためのプログラムコードであって、受信チェーンが前記ＵＥの第１のＲＡＴモデムと第２のＲＡＴモデムとの間で共有される、適応的に実行するためのプログラムコードと
を備える、コンピュータプログラム製品。
【請求項２５】
ユーザ機器（ＵＥ）内でのワイヤレス通信のための装置であって、
第２の無線アクセス技術（ＲＡＴ）離調についての受信された第１のＲＡＴ中断要求に応答して第１のＲＡＴアクティビティを検出するための手段と、
前記検出された第１のＲＡＴアクティビティと第２のＲＡＴ離調アクティビティとの所定の優先度に従って前記第１のＲＡＴ中断要求を適応的に実行するための手段であって、受信チェーンが前記ＵＥの第１のＲＡＴモデムと第２のＲＡＴモデムとの間で共有される、適応的に実行するための手段と
を備える、装置。
【請求項２６】
メモリと、
前記メモリに結合された少なくとも１つのプロセッサと
を備える、ユーザ機器（ＵＥ）内でのワイヤレス通信のために構成された装置であって、前記少なくとも１つのプロセッサが、
圏外（ＯｏＳ）イベントに応答して第２の無線アクセス技術（ＲＡＴ）アクティビティとの間で第１の無線アクセス技術（ＲＡＴ）走査を適応的に実行することであって、受信チェーンが前記ＵＥの第１のＲＡＴモデムと第２のＲＡＴモデムとの間で共有される、適応的に実行すること
を行うように構成された、装置。
【請求項２７】
前記プロセッサが、第１のＲＡＴ離調との干渉を低減するために第２のＲＡＴシステム収集を適応的に実行するようにさらに構成された、請求項２６に記載の装置。
【請求項２８】
第１のＲＡＴがＣＤＭＡ２０００を備え、第２のＲＡＴがロングタームエボリューション（ＬＴＥ）を備える、請求項２６に記載の装置。
【請求項２９】
ユーザ機器（ＵＥ）内でのワイヤレス通信のために構成されたコンピュータプログラム製品であって、前記コンピュータプログラム製品が、
非一時的プログラムコードを記録したコンピュータ可読媒体を備え、前記プログラムコードは、
圏外（ＯｏＳ）イベントに応答して第２の無線アクセス技術（ＲＡＴ）アクティビティとの間で第１の無線アクセス技術（ＲＡＴ）走査を適応的に実行するためのプログラムコードであって、受信チェーンが前記ＵＥの第１のＲＡＴモデムと第２のＲＡＴモデムとの間で共有される、適応的に実行するためのプログラムコード
を備える、コンピュータプログラム製品。
【請求項３０】
ユーザ機器（ＵＥ）内でのワイヤレス通信のための装置であって、
圏外（ＯｏＳ）イベントに応答して第２の無線アクセス技術（ＲＡＴ）アクティビティとの間で第１の無線アクセス技術（ＲＡＴ）走査を適応的に実行するための手段であって、受信チェーンが前記ＵＥの第１のＲＡＴモデムと第２のＲＡＴモデムとの間で共有される、適応的に実行するための手段
を備える、装置。
【発明の詳細な説明】
【技術分野】
【０００１】
関連出願の相互参照
[0001]本出願は、その開示全体が参照により本明細書に明確に組み込まれる、Ａ．Ｓｗａｍｉｎａｔｈａｎらの名義で２０１２年２月３日に出願された米国仮特許出願第６１／５９４，９９８号の利益を主張する。
【０００２】
[0002]本開示の態様は、一般にワイヤレス通信システムに関し、より詳細には、ユーザ機器（ＵＥ）内のボイス／データハイブリッドモードに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張のセットである。
【０００５】
[0005]ＬＴＥ技術は、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。モバイルブロードバンドアクセスに対する増大する需要を満たすためだけでなく、モバイル通信のユーザエクスペリエンスを進化および向上させるためにもＬＴＥ技術を進化させる研究および開発が続けられている。
【発明の概要】
【０００６】
[0006]本開示の一態様に従って、ユーザ機器（ＵＥ）内のボイス／データハイブリッドモードのための方法について説明する。本方法は、第２の無線アクセス技術（ＲＡＴ：radio access technology）離調（tune-away）についての受信された第１のＲＡＴ中断要求に応答して第１のＲＡＴアクティビティを検出することを含む。本方法はまた、検出された第１のＲＡＴアクティビティと第２のＲＡＴ離調アクティビティとの所定の優先度に従って第１のＲＡＴ中断要求を適応的に実行することを含む。受信チェーンがＵＥの第１のＲＡＴモデムと第２のＲＡＴモデムとの間で共有される。
【０００７】
[0007]別の態様では、ＵＥ内のボイス／データハイブリッドモードのための装置について説明する。本装置は、少なくとも１つのプロセッサと、少なくとも１つのプロセッサに結合されたメモリとを含む。（１つまたは複数の）プロセッサは、第２の無線アクセス技術（ＲＡＴ）離調についての受信された第１のＲＡＴ中断要求に応答して第１のＲＡＴアクティビティを検出するように構成される。（１つまたは複数の）プロセッサはまた、検出された第１のＲＡＴアクティビティと第２のＲＡＴ離調アクティビティとの所定の優先度に従って第１のＲＡＴ中断要求を適応的に実行するように構成される。受信チェーンがＵＥの第１のＲＡＴモデムと第２のＲＡＴモデムとの間で共有される。
【０００８】
[0008]さらなる態様では、ＵＥ内のボイス／データハイブリッドモードのためのコンピュータプログラム製品について説明する。本コンピュータプログラム製品は、プログラムコードを記録した非一時的コンピュータ可読媒体を含む。本コンピュータプログラム製品は、第２の無線アクセス技術（ＲＡＴ）離調についての受信された第１のＲＡＴ中断要求に応答して第１のＲＡＴアクティビティを検出するためのプログラムコードを有する。本コンピュータプログラム製品はまた、検出された第１のＲＡＴアクティビティと第２のＲＡＴ離調アクティビティとの所定の優先度に従って第１のＲＡＴ中断要求を適応的に実行するためのプログラムコードを有する。受信チェーンがＵＥの第１のＲＡＴモデムと第２のＲＡＴモデムとの間で共有される。
【０００９】
[0009]別の態様では、ＵＥ内のボイス／データハイブリッドモードのための装置について説明する。本装置は、第２の無線アクセス技術（ＲＡＴ）離調についての受信された第１のＲＡＴ中断要求に応答して第１のＲＡＴアクティビティを検出するための手段を含む。本装置は、検出された第１のＲＡＴアクティビティと第２のＲＡＴ離調アクティビティとの所定の優先度に従って第１のＲＡＴ中断要求を適応的に実行するための手段をさらに含む。受信チェーンがＵＥの第１のＲＡＴモデムと第２のＲＡＴモデムとの間で共有される。
【００１０】
[0010]本開示のさらなる態様に従って、ＵＥ内のボイス／データハイブリッドモードのための方法について説明する。本方法は、圏外（ＯｏＳ：out of service）イベントに応答して第２の無線アクセス技術（ＲＡＴ）アクティビティとの間で第１の無線アクセス技術（ＲＡＴ）走査を適応的に実行することを含む。受信チェーンがＵＥの第１のＲＡＴモデムと第２のＲＡＴモデムとの間で共有される。
【００１１】
[0011]別の態様では、ＵＥ内のボイス／データハイブリッドモードのための装置について説明する。本装置は、少なくとも１つのプロセッサと、少なくとも１つのプロセッサに結合されたメモリとを含む。（１つまたは複数の）プロセッサは、圏外（ＯｏＳ）イベントに応答して第２の無線アクセス技術（ＲＡＴ）アクティビティとの間で第１の無線アクセス技術（ＲＡＴ）走査を適応的に実行するように構成される。受信チェーンがＵＥの第１のＲＡＴモデムと第２のＲＡＴモデムとの間で共有される。
【００１２】
[0012]さらなる態様では、単一の無線ＵＥを用いた１ｘ／ＬＴＥデュアルドメインキャンピングのためのコンピュータプログラム製品について説明する。本コンピュータプログラム製品は、プログラムコードを記録した非一時的コンピュータ可読媒体を含む。本コンピュータプログラム製品は、圏外（ＯｏＳ）イベントに応答して第２の無線アクセス技術（ＲＡＴ）アクティビティとの間で第１の無線アクセス技術（ＲＡＴ）走査を適応的に実行するためのプログラムコードを有する。受信チェーンがＵＥの第１のＲＡＴモデムと第２のＲＡＴモデムとの間で共有される。
【００１３】
[0013]別の態様では、単一の無線ＵＥを用いた１ｘ／ＬＴＥデュアルドメインキャンピングのための装置について説明する。本装置は、圏外（ＯｏＳ）イベントに応答して第２の無線アクセス技術（ＲＡＴ）アクティビティとの間で第１の無線アクセス技術（ＲＡＴ）走査を適応的に実行するための手段を含む。受信チェーンがＵＥの第１のＲＡＴモデムと第２のＲＡＴモデムとの間で共有される。
【００１４】
[0014]ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１５】
[0007]本開示の特徴、特性、および利点は、全体を通じて同様の参照符号が同様のものを指す図面とともに、以下に記載する発明を実施するための形態を読めばより明らかになろう。
【図面の簡単な説明】
【００１６】
【図１】[0008]ネットワークアーキテクチャの一例を示す図。
【図２】[0009]アクセスネットワークの一例を示す図。
【図３】[0010]ＬＴＥにおけるダウンリンクフレーム構造の一例を示す図。
【図４】[0011]ＬＴＥにおけるアップリンクフレーム構造の一例を示す図。
【図５】[0012]ユーザプレーンおよび制御プレーンのための無線プロトコルアーキテクチャの一例を示す図。
【図６】[0013]アクセスネットワーク中の発展型ノードＢおよびユーザ機器の一例を示す図。
【図７】[0014]本開示の一態様による、ＵＥ内のボイス／データハイブリッドモードのための方法を示すブロック図。
【図８】[0015]本開示の一態様による、適応走査を使用したＵＥ内のボイス／データハイブリッドモードのための方法を示すブロック図。
【図９】[0016]本開示の一態様による、ボイス／データハイブリッドモードシステムをもつＵＥを採用する装置のためのハードウェア実装形態の一例を示す図。
【発明を実施するための形態】
【００１７】
[0016]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１８】
[0017]様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１９】
[0018]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２０】
[0019]したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００２１】
[0020]図１は、本開示の一態様による、ＵＥを用いたボイス／データハイブリッドモードが実行され得る、ＬＴＥ／−Ａネットワークであり得る、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２２】
[0021]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２３】
[0022]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２４】
[0023]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮｏｄｅＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２５】
[0024]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２６】
[0025]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２７】
[0026]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２８】
[0027]以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２９】
[0028]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００３０】
[0029]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００３１】
[0030]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００３２】
[0031]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３３】
[0032]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００３４】
[0033]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３５】
[0034]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３６】
[0035]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３７】
[0036]図６は、アクセスネットワーク中でＵＥ６５０と通信しているｅノードＢ６１０のブロック図である。ダウンリンクでは、コアネットワークからの上位レイヤパケットが、コントローラ／プロセッサ６２０に与えられる。コントローラ／プロセッサ６２０は、Ｌ２レイヤの機能を実装する。ダウンリンクでは、コントローラ／プロセッサ６２０は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６２０はまた、ＨＡＲＱ動作と、紛失パケットの再送信と、ＵＥ６５０へのシグナリングとを担当する。
【００３８】
[0037]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６３２からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームが別個の送信機６１４ＴＸ（６１４−１、．．．、６１４−Ｎ）を介して異なるアンテナ６１２（６１２−１、６１２−Ｎ）に与えられる。送信機６１４ＴＸの各々は、送信のためにそれぞれの空間ストリームでＲＦキャリアを変調する。
【００３９】
[0038]ＵＥ６５０において、第１の受信機６５４−１ＲＸ−１は、第１のアンテナ６５２−１を通して信号を受信し、第２の受信機６５４−２ＲＸ−２は、第２のアンテナ６５２−２を通して信号を受信する。第１の受信機６５４−１ＲＸ−１は、ＲＦキャリア上に変調された情報を復元し、第１の受信機（ＲＸ−１）プロセッサ６６０−１に情報を与える。第２の受信機６５４−２ＲＸ−２も、ＲＦキャリア上に変調された情報を復元し、第２の受信機（ＲＸ−２）プロセッサ６６０−２に情報を与える。第１のＲＸ−１プロセッサ６６０−１および第２のＲＸ−２プロセッサ６６０−２は、Ｌ１レイヤの様々な信号処理機能を実装する。第１のＲＸ−１プロセッサ６６０−１および第２のＲＸ−２プロセッサ６６０−２は、ＵＥ６５０に宛てられた任意の空間ストリームを復元するために、情報に対して空間処理を実行する。複数の空間ストリームがＵＥ６５０に宛てられた場合、それらは、第１のＲＸ−１プロセッサ６６０−１と第２のＲＸ−２プロセッサ６６０−２とによって単一のＯＦＤＭシンボルストリームに合成され得る。第１のＲＸ−１プロセッサ６６０−１および第２のＲＸ−２プロセッサ６６０−２は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを判断することによって復元され、復調される。これらの軟判定は、チャネル推定器６６４によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いで、コントローラ／プロセッサ６８０に与えられる。
【００４０】
[0039]コントローラ／プロセッサ６８０はＬ２レイヤを実装する。コントローラ／プロセッサは、プログラムコードとデータとを記憶するメモリ６８２に関連し得る。メモリ６８２はコンピュータ可読媒体と呼ばれることがある。アップリンクでは、コントローラ／プロセッサ６８０は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６８０はまた、ＨＡＲＱ動作をサポートするために肯定応答（ＡＣＫ）および／または否定応答（ＮＡＣＫ）プロトコルを使用した誤り検出を担当する。
【００４１】
[0040]アップリンクでは、データソース６７２は、コントローラ／プロセッサ６８０に上位レイヤパケットを与えるために使用される。データソース６７２は、Ｌ２レイヤの上のすべてのプロトコルレイヤを表す。ｅノードＢ６１０によるダウンリンク送信に関して説明した機能と同様に、コントローラ／プロセッサ６８０は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６８０はまた、ＨＡＲＱ動作と、紛失パケットの再送信と、ｅノードＢ６１０へのシグナリングとを担当する。
【００４２】
[0041]ｅノードＢ６１０によって送信される基準信号またはフィードバックからの、チャネル推定器６６４によって導出されるチャネル推定値は、適切な符号化および変調方式を選択することと、空間処理を可能にすることとを行うために、ＴＸプロセッサ６７０によって使用され得る。ＴＸプロセッサ６７０によって生成される空間ストリームは、送信機６５８ＴＸを介してアンテナ６５６に与えられる。送信機６５８ＴＸは、送信のためにそれぞれの空間ストリームでＲＦキャリアを変調する。
【００４３】
[0042]アップリンク送信は、ＵＥ６５０における受信機機能に関して説明した方法と同様の方法でｅノードＢ６１０において処理される。受信機６１４ＲＸ（６１４−１、．．．、６１４−Ｎ）の各々は、それのそれぞれのアンテナ６１２（６１２−１、．．．、６１２−Ｎ）を通して信号を受信する。受信機６１４ＲＸの各々は、ＲＦキャリア上に変調された情報を復元し、ＲＸプロセッサ６３０（６３０−１、．．．、６３０−Ｎ）のうちの１つに情報を与える。ＲＸプロセッサ６３０はＬ１レイヤを実装し得る。
【００４４】
[0043]コントローラ／プロセッサ６２０はＬ２レイヤを実装する。コントローラ／プロセッサ６２０は、プログラムコードとデータとを記憶するメモリ６２２に関連し得る。メモリ６２２はコンピュータ可読媒体と呼ばれることがある。アップリンクでは、コントローラ／プロセッサ６２０は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６２０からの上位レイヤパケットはコアネットワークに与えられ得る。コントローラ／プロセッサ６２０はまた、ＨＡＲＱ動作をサポートするためにＡＣＫおよび／またはＮＡＣＫプロトコルを使用した誤り検出を担当する。
【００４５】
[0044]コントローラ／プロセッサ６２０およびコントローラ／プロセッサ６８０は、それぞれｅノードＢ６１０における動作およびＵＥ６５０における動作を指示し得る。ｅノードＢ６１０におけるコントローラ／プロセッサ６２０および／または他のプロセッサおよびモジュールは、本明細書で説明する技法のための様々なプロセスを実行するか、またはその実行を指示し得る。ＵＥ６５０におけるコントローラ／プロセッサ６８０および／または他のプロセッサならびにモジュールはまた、図７および図８の使用方法フローチャートに示す機能ブロック、および／またはＵＥ６５０内のボイス／データハイブリッドモードを伴う説明する技法のための他のプロセスを実行するか、またはその実行を指示し得る。この構成では、ＵＥ６５０は、ボイス／データハイブリッドモードを与えるために、単一の受信経路を共有する第１の無線アクセス技術（ＲＡＴ）６９０−１と第２のＲＡＴ６９０−２とを含む。メモリ６２２およびメモリ６８２は、それぞれｅノードＢ６１０およびＵＥ６５０のためのデータおよびプログラムコードを記憶し得る。
【００４６】
無線ＵＥ内のボイス／データハイブリッドモード
[0045]本開示の一態様は、単一の受信経路をサポートしながら第１の無線アクセス技術（ＲＡＴ）上でデータを受信し、第２の無線アクセス技術（ＲＡＴ）上でボイスを受信するＵＥを与える。本開示のこの態様では、単一の受信経路の第１の受信チェーンと第２の受信チェーンとが第１の無線アクセス技術（ＲＡＴ）モデムと第２のＲＡＴモデムとの間で共有される。一構成では、第１のＲＡＴモデムはＬＴＥモデムであり、第２のＲＡＴは１ｘ（ＣＤＭＡ２０００）モデムである。
【００４７】
[0046]ＣＤＭＡ２０００は、限定はしないが、シングルキャリア無線伝送技術（１ｘＲＴＴ）、１ｘエボリューションデータオプティマイズド（１ｘＥＶ−ＤＯ）、およびボイス、データを送り、モバイルフォンとセルサイトとの間でデータをシグナリングするためのＣＤＭＡチャネルアクセスを使用する他の同様のモバイル技術規格を含む。本明細書で説明するように、ＣＤＭＡ２０００は１ｘと呼ばれることがある。本開示の添付の特許請求の範囲および本発明の態様の範囲内のまま、第１および第２のＲＡＴモデムの他の構成が可能である。たとえば、第１および第２のＲＡＴモデムは、ＨＳＰＡおよびＧＳＭまたは他のネットワークのためのものであり得る。以下の説明は、説明しやすいように１ｘおよびＬＴＥに関して与えられる。
【００４８】
[0047]同時ボイスアンドＬＴＥ（ＳＶＬＴＥ：simultaneous voice and LTE）は、ＬＴＥがＣＤＭＡ２０００（１ｘ）ネットワークに対するオーバーレイであるときのボイス配信のための現在のデファクトスタンダードである。ＳＶＬＴＥ通信では、ボイスサービスは、ＬＴＥデータサービスと並行して動作する１ｘサービスとして展開される。その結果、ＳＶＬＴＥ通信を実装するために、ハンドセットが２つの無線を同時に実行する。マルチモードＬＴＥ／Ｃ２Ｋハンドセットをリリースすることを計画しているＣ２Ｋ（ＣＤＭＡ２０００）事業者にとっていくつかのボイスソリューションが利用可能である。これらは、（１）ボイスオーバーＩＰオーバーＬＴＥ（ＶｏＬＴＥ：voice over IP over LTE）と、（２）１ｘ回線交換フォールバック（１ｘＣＳＦＢ：1x Circuit Switched Fallback）とを含むネットワークサポートおよび／またはアップグレードを伴うオプション、ならびに（１）二重受信機１ｘＣＳＦＢと（２）ＳＶＬＴＥとを含む、簡約ネットワークサポートまたはネットワークサポートなしを指定するオプションを含む。
【００４９】
[0047]ネットワークサポートを伴わないオプションの背後の仮定は、デバイスが、二重受信経路または二重受信／二重送信経路のいずれかをサポートするということである。ＬＴＥ  ＵＥ中の二重受信経路は、ＬＴＥにおけるＭＩＭＯ（多入力多出力）動作をサポートするための３つの受信チェーンを伴うことに留意されたい。二重受信経路は、ＵＥが、二重受信機ＣＳＦＢ通信をサポートするために指定されたように、ＬＴＥページングと１ｘページングとを独立して監視することを可能にする。二重受信／二重送信経路は、ＵＥが、ＳＶＬＴＥ通信をサポートするために指定されたように、独立した１ｘおよびＬＴＥ動作をサポートすることを可能にする。
【００５０】
[0048]本開示の一態様は、単一の受信経路をサポートしながら、ＬＴＥ上でデータを受信し、１ｘ上でボイスを受信するＵＥを与える。本開示のこの態様では、ＵＥは、第１の受信チェーンと第２の受信チェーンとを含む単一の受信経路が、第１の無線アクセス技術（ＲＡＴ）モデムと第２のＲＡＴモデムとの間で共有されるボイス／データハイブリッドモードを与える。一構成では、単一の受信経路は、ＬＴＥにおけるＭＩＭＯ動作をサポートするための２つの受信チェーンを伴う。
【００５１】
[0049]図７に、本開示の一態様による、ボイス／データ（たとえば、１ｘ／ＬＴＥ）ハイブリッドモード動作のための方法７００を示す。本開示の一態様では、１次（第１の）受信チェーンとダイバーシティ（第２の）受信チェーンとは、ＵＥのＬＴＥモデムと１ｘモデムとの間で共有される。たとえば、図６に示すように、ＵＥ６５０は、単一の受信経路を共有する第１のＲＡＴ６９０−１（たとえば、ＬＴＥモデム）と第２のＲＡＴ６９０−２（たとえば、１ｘモデム）とを含む。この構成では、第１の受信機６５４−１ＲＸ−１は第１のアンテナ６５２−１を有し、第２の受信機６５４−２ＲＸ−２は第２のアンテナ６５２−２を有し、それらは、ＵＥ６５０の第１のＲＡＴ６９０−１と第２のＲＡＴ６９０−２との間で共有される。
【００５２】
[0050]一構成では、ＵＥ６５０の１次（たとえば、第１の受信機６５４−１ＲＸ−１、第１のアンテナ６５２−１、および第１のＲＸ−１プロセッサ６６０−１）受信チェーンと、ダイバーシティ（第２の受信機６５４−２ＲＸ−２、第２のアンテナ６５２−１、および第２のＲＸ−２プロセッサ６６０−２）受信チェーンとを共有することは、ＬＴＥネットワークと１ｘネットワークの両方にキャンプオンすることを禁止する。その結果、１ｘページとＬＴＥページとは、ＵＥ６５０の動作中に衝突し得る。１ｘページをリッスンするかまたは他の同様の１ｘアクティビティを実行するためのＬＴＥからの離調は、「１ｘ離調」と呼ばれる。１ｘ離調は、ボイス／データハイブリッドモードを与えるための１次受信チェーンとダイバーシティ受信チェーンとの共有から生じる。この構成では、第１のＲＡＴ６９０−１と第２のＲＡＴ６９０−２とは、ＬＴＥデータ呼と１ｘボイス呼との受信を可能にするために１次受信チェーンとダイバーシティ受信チェーンとを適応的に共有する。
【００５３】
[0051]ＬＴＥからの１ｘ離調は、１ｘページまたは他の同様の１ｘアクティビティをリッスンするためのＬＴＥ中断要求に応答して実行される。１ｘ離調は、受信されたＬＴＥ中断要求から生じる。従来の手法は、「ＬＴＥアクティビティ」と呼ばれることがある、ＬＴＥ上で行われているアクティビティにかかわらず、ＬＴＥ中断要求に応答してＬＴＥから離調する。従来の手法とは対照的に、受信されたＬＴＥ中断要求は、現在のＬＴＥアクティビティと１ｘ離調アクティビティとの優先度に応じて実行されることも実行されないこともある。
【００５４】
[0052]本開示の一態様は、１ｘ離調のためのＬＴＥ中断要求が適応的に受け付けられるフレームワークをサポートする。たとえば、以下のＬＴＥアクティビティを中断することは、ＬＴＥ上の破局的な結果につながることがあるので、ＵＥが、限定はしないが、（１）ＬＴＥアタッチ、（２）ｅＮＢ間／ＲＡＴ間ＨＯ（無線アクセス技術ハンドオーバ）、（３）セキュリティプロシージャ、（４）ＴＡＵ（トラッキングエリア更新）、および（５）ネットワークによってトリガされたデバイスプロビジョニングまたはソフトウェアアップデートを含む所定のＬＴＥアクティビティの途中にある場合、ＵＥは、ＬＴＥ中断要求を無視し、１ｘ離調を受け付けないことを選択し得る。休止が繰り返されることにより、ネットワークとＵＥとの間の矛盾する状態が生じ得る。さらに、以下のイベントが行われようとしているときにＬＴＥから離脱することは、以下のグローバル認証フォーラム（ＧＣＦ：Global Certification Forum）テスト違反につながることがある。（１）ＵＥが、ＮＡＳ／ＲＲＣ（非アクセス層／無線リソース制御）仕様における要求応答メッセージの途中にあるか、または（２）ＵＥがアクティビティを再試行することが予想されるタイマーが満了しようとしている。
【００５５】
[0053]再び図７を参照すると、１ｘ離調についてのＬＴＥ中断要求を適応的に受け付けるための方法７００について説明する。ブロック７１０において、第２の無線アクセス技術（ＲＡＴ）離調についての受信された第１のＲＡＴ中断要求に応答して第１のＲＡＴアクティビティを検出する。たとえば、ＵＥ６５０の動作中に、ＵＥ６５０は、１ｘ離調アクティビティについての受信されたＬＴＥ中断要求に応答してＬＴＥアクティビティを検出する。ブロック７１２において、ＵＥは、検出された第１のＲＡＴアクティビティと第２のＲＡＴ離調アクティビティとの所定の優先度に従って第１のＲＡＴ中断要求を適応的に実行する。この構成では、第１の受信チェーンと第２の受信チェーンとは、ＵＥ６５０のＬＴＥモデムと１ｘモデムとの間で共有される。
【００５６】
[0054]たとえば、ＵＥ６５０は、検出されたＬＴＥアクティビティと１ｘ離調との所定の優先度に従ってＬＴＥ中断要求を適応的に実行する。モバイルまたはＵＥ着信（terminated）アクティビティ（たとえば、着信（incoming）アクティビティ）のための１ｘ離調は、検出されたＬＴＥアクティビティに勝る優先度を与えられ得る。逆に、検出されたＬＴＥアクティビティは、モバイルまたはＵＥ発信（originated）アクティビティ（たとえば、発信（outgoing）アクティビティ）に勝る優先度を与えられ得る。この構成では、ＬＴＥ中断要求は、１ｘ離調を可能にするために受信される。
【００５７】
[0055]すなわち、ＵＥは、モバイル発信１ｘアクティビティについてのＬＴＥ中断要求とモバイル着信ページ受信についてのＬＴＥ中断要求とを区別し得る。中断要求がモバイル発信アクティビティについてである場合、ＵＥは、それが重要なＬＴＥアクティビティの途中にある場合、中断要求に応答するためにより長い時間を要することがある。一方、ＵＥは、モバイル着信ページ受信についての中断要求を遅延させることに関してより厳しくなる。
【００５８】
[0056]本開示のこの態様は、所定のＬＴＥアクティビティが１ｘ離調に勝る優先度を取るようなＬＴＥアクティビティの重要性に従ってＬＴＥ中断要求を適応的に受け付ける。たとえば、モバイル発信アクティビティをわずかに数秒だけ遅延させることにより、ユーザエクスペリエンスが劣化する。本開示のこの態様では、ＬＴＥ中断要求は、その要求がモバイル発信アクティビティについてであるのかモバイル着信（ＭＴ：mobile terminated）アクティビティについてであるのかを示す。モバイル発信アクティビティの場合、ＬＴＥアクティビティが完了し得るように、ＬＴＥ中断要求を受け付けることを遅延させる可能性がより高い。逆に、モバイル着信アクティビティの場合、ＬＴＥ中断要求は、より優先度の高いＬＴＥアクティビティのためにのみ遅延させられる。
【００５９】
[0057]ボイス／データハイブリッドモードの一構成は、１ｘページング要求を実行しながら、ＬＴＥ接続モードでの単一の受信チェーンを可能にする。特に、１ｘページング要求の実行を可能にするためにＬＴＥを中断するのではなく、ＵＥ６５０は、一時的に単一の出力デバイスとして動作し得る。すなわち、ＵＥ６５０は、ＵＥが単一の受信チェーンへのアクセスを有するように、それが一時的に単一の出力デバイスとして動作していることをネットワークに通知する。その結果、ＵＥ６５０は、１ｘページング要求を実行することが可能である間に、ＬＴＥを完全に停止することなしに低減されたレートで動作する。たとえば、ＬＴＥトラフィックモード中に、ＵＥ６５０は、ランクを１まで引き下げ、それによって、（他の受信チェーンを使用する）１ｘページ監視と同時の（単一の受信チェーンを用いた）ＬＴＥ呼を可能にする。
【００６０】
[0058]図８に、本開示の一態様による、ＵＥ６５０内のボイス／データハイブリッドモードのための方法８００を示す。本開示のこの態様は、バックオフを考慮しながら、完全な走査を繰り返し実行することによって１ｘ圏外（ＯｏＳ）挙動の挙動を変更する。現在の挙動は、走査のための後続の伸縮自在なバックオフを用いて、１５分間利用可能な１ｘシステムを連続的に走査することである。同様に、システム選択走査は、（ＲＬＦ（無線リンク障害）、ＯｏＳ走査中などの）ＬＴＥシステム収集が１ｘページング起動に干渉しない状況を防止する。
【００６１】
[0059]ブロック８１０において、ＵＥの第１のＲＡＴモデムと第２のＲＡＴモデムとの間で第１の受信チェーンと第２の受信チェーンとを共有する。ブロック８１２において、圏外（ＯｏＳ）イベントに応答して第２の無線アクセス技術（ＲＡＴ）アクティビティとの間で第１の無線アクセス技術（ＲＡＴ）走査を適応的に実行する。本開示のこの態様では、１ｘがカバレージ外にあるとき、１ｘ走査はＬＴＥアクティビティの中間に適応的に実行される。同様に、ＬＴＥシステム収集は、ＬＴＥがカバレージ外にあるとき、１ｘページング起動イベントまたは他の同様の１ｘ離調アクティビティとの干渉を管理するための適応的な方法で実行される。
【００６２】
[0060]ボイス／データハイブリッドモードを与えるときに、ＵＥ６５０の受信経路限定により起こる問題は、１ｘページサイクルとＬＴＥページサイクルとが重複する場合に対処する際の複雑さである。すなわち、１ｘページングオケージョンは、ＬＴＥページングオケージョンと衝突することがある。ＬＴＥネットワークと１ｘネットワークとが同期させられるとき、そのような問題を克服するために好適なサイクルネゴシエーションが使用され得る。場合によっては、１ｘページを読み取るための中断トリガの到着が予期され得る場合、ＵＥ６５０は、中断トリガを受信することより前か、またはトリガを受信した後であるが中断より前のいずれかで、ＵＥ６５０がＬＴＥページングサイクル持続時間を増加させることを望むことをネットワークにシグナリングし得る。そうすることにより、複数のＬＴＥページ持続時間とＬＴＥ中断の持続時間との衝突の確率が減少する。
【００６３】
[0061]ＵＥ６５０はまた、ページングサイクルの増加を要求するためにネットワークシグナリングを使用するか、または正確なページングサイクル値を明示的に要求するためにネットワークシグナリングを使用することができる。たとえば、１ｘページ受信のための中断が、終了したか、またはすぐに再び到着する可能性がないと判断すると、ＵＥ６５０は、ＵＥ６５０が、ページの受信を優先的に可能にするためにそれのページングサイクル持続時間を低減することを望むことをネットワークにシグナリングし得る。言い換えれば、衝突が予想される場合、ＵＥ６５０は、ＬＴＥネットワークがページングサイクルの持続時間を変更することを要求し得る。
【００６４】
[0062]動作中、１ｘページを読み取るためのＬＴＥ中断は、ＬＴＥ上のより優先度の高いプロシージャによって却下され得る。その結果、ページは消失されることになり、その場合、ネットワークはＵＥを再ページングすることになる。ページングサイクル変更は、少なくとも、ネットワークによる再ページのミスを回避するために実行される。この構成では、１ｘページを読み取るための中断が却下された後、次のページングオケージョン時に、１ｘページの読取りが絶対優先度を取ることが確実にされるべきである。言い換えれば、デバイスレベルにおいて、衝突の影響が低減されるように２つの連続するページを消失する確率が低いことを確実にするために、この構成では、優先度は、２つの連続するページング要求が消失されないように反転させられる。
【００６５】
[0063]ボイス／データハイブリッドモードは、ＬＴＥネットワークとＣＤＭＡ２０００ネットワークの両方の上での登録およびオーバーヘッド情報を同時に維持しながら、両方のタイプのネットワークへの接続を可能にし得る。しかしながら、ＵＥ６５０は、１ｘページング要求に応答するために離調するためのＬＴＥ中断要求を受け付けることを示すためにＬＴＥネットワークと通信するためのシグナリング機構を有しない。
【００６６】
[0064]ｅＮＢスケジューラは、ＵＥが、１ｘページング要求に応答するときに一時的アウテージの状態に入った場合、バックダウンリンク割当てを抑制するための機構を実装し得る。アウテージ中に、ｅＮＢは、チャネル品質インジケータ（ＣＱＩ）および／またはＡＣＫ／ＮＡＫ（肯定応答／否定応答）情報を搬送するアップリンクＬＴＥ制御チャネルを読み取らないことになる。たとえば、スケジューラは、受信されたＡＣＫ／ＮＡＣＫの履歴によって判断されたＣＱＩベースのスケジューリングにオフセットを適用する制御ループを有し得る。（中断中がそうであるように）いくつかの後続のＮＡＣＫが受信された場合、スケジューラは、ＣＱＩに負のオフセット（Δ）を適用し、ＵＥ報告ＣＱＩによって示唆されたパケットサイズよりも小さいパケットサイズを用いてＵＥをスケジュールすることになる。
【００６７】
[0065]これを改善するために、ＵＥは、報告されたＣＱＩに従って、スケジュールされたパケットサイズを予想されるパケットサイズと比較する機構を有することができる。実際のパケットサイズが、予想されるパケットサイズよりもはるかに小さい場合、ＵＥは、報告されたＣＱＩに、対応する正のオフセットを適用することができる。すなわち、ＵＥはＣＱＩを報告し、ｅＮＢは、そのＣＱＩに基づいてデータレートをスケジュールする。ＬＴＥ中断要求を受け付けることにより、多数のパケットドロップが生じる。また、低減されたＣＱＩ報告によりスケジューリングレートを低下させることは、パケットロスをもたらす。したがって、ｅＮＢは、ドロップされた／消失したパケットに基づいてデータレートを徐々に低下させる。離調の後に、データレートは徐々に増加させられ、それは不十分なデータレートをもたらす。本開示のこの態様では、離調からの復帰が完了し、データレートがＣＱＩに一致しなくなった後、次いで、モバイルデバイスは、実際に経験されるＣＱＩよりも高いＣＱＩ（たとえば、ＣＱＩ（ｘ）＋Δ）を報告する。その結果、ネットワークにおけるデータレートのランプアップは、より急速に行われる。
【００６８】
[0066]さらなる拡張は、再開の後に一時的に正のオフセットの適用を含み得る。さらに、ＮＡＣＫがトリガされるとすぐに、ＵＥ６５０は、オフセットを適用することを停止し得る。ＵＥ６５０は、ＡＣＫに対する正のオフセットを徐々にランプアップし、ならびにＮＡＣＫに対する正のオフセットを徐々にランプダウンし得る。さらに、ＵＥ６５０は、中断につながるＣＱＩをランプダウンし始め得る。
【００６９】
[0067]本開示の別の態様では、測定スケジューリングが１ｘ動作と衝突するとき、測定ギャップはスケジュールされないか、またはアボートされない。また、測定報告はネットワークに報告されない。ネットワークへの不正確な測定報告の報告は、回避される。すなわち、ＵＥが１ｘ離調アクティビティのために離調され得るので、周期的測定は不正確であり得る。
【００７０】
[0068]本開示のさらなる態様では、ＵＥは、ＲＬＣ（無線リンクコントローラ）が離調に起因する場合、アップリンク（ＵＬ）中のＲＬＣリセットを無視する。ＲＬＣリセットの最大数に近づくと、より高い優先度がＬＴＥに与えられ得る。すなわち、ＲＬＣリセットの最大数が近い場合、離調は行われないことになる。本開示のこの態様では、１ｘ離調に起因するＲＬＣリセットは、アップリンク接続が解放されないように無視される。すなわち、ＬＴＥ接続の損失を回避するために、ＵＥが最大ＲＬＣリセット量に近づき始めると、１ｘ離調は実行されない。また、フロー制御アプリケーションが（たとえば、ボイス呼のための）１ｘ離調のために適応するように調整され得る。
【００７１】
[0069]別の構成では、ボイス／データハイブリッドモードは、ＱｏＳ（サービス品質）フロー保守をサポートする。ＱｏＳ中心であるリアルタイムアクティビティは、所定の数の１ｘ離調を無視することを生じ得る。ＵＥがＬＴＥ上のＱｏＳ呼（たとえば、Ｓｋｙｐｅ呼／ＶｏＬＴＥ呼）を検出した場合、１ｘ離調を無効にするためのオプションが与えられる。ＵＥが、別個のＲＦチェーン（たとえば、ＷｉＦｉ（登録商標））を用いた何らかの他の手段を介してボイスを有する場合、ＵＥは、１ｘを監視することを停止し得る。ＵＥが、別個のＲＦチェーン（たとえば、ＷｉＦｉ）を用いた何らかの他の手段を介してデータを有する場合、ＵＥはＬＴＥ動作を中断することができる。
【００７２】
[0070]別の構成では、ボイス／データハイブリッドモードは、ショートメッセージサービスに適応するように調整される。たとえば、モバイル発信ショートメッセージサービス（ＳＭＳ）メッセージは、ボイス呼中に１ｘ上で再ルーティングされ、ＵＥが１ｘボイス呼上にないとき、ＩＭＳ上で再ルーティングされ得る（すなわち、ＳＭＳはデータネットワーク上で再ルーティングされ得る）。ＬＴＥ中断中に、ＵＥが１ｘ回線交換呼に関与しない限り、ＵＥは、短い期間の間１ｘ上に残るであろうことが予期される。ＵＥが１ｘに同調し、ＬＴＥが中断される間、ＵＥはＬＴＥ上でＩＭＳ登録コンテキストを維持する。この構成では、ＵＥは、デフォルトＳＭＳトランスポートとしてＩＭＳを使用し、ＩＭＳ上でＳＭＳメッセージを送ることを試みる。とはいえ、ＩＭＳ上でのモバイル発信ＳＭＳメッセージの試みが、規定された量の再試行の後に失敗したとき、ＵＥは、ＬＴＥスタックが現在中断中であるかどうかを確かめるために検査すべきである。これが当てはまる場合、ＵＥは、ＬＴＥ上でＩＭＳコンテキストを維持し続けながら、１ｘ上でＳＭＳメッセージを送ることを試みるべきである。
【００７３】
[0071]ＵＥは、ＳＭＳ中断を低減することが重要な場合、ネットワークがＳＭＳメッセージを１ｘ上でルーティングし始めるのを助けるために、ドメイン利用可能性通知をサポートし得る。また、１ｘ上でＳＭＳドメインを移動すると、ＬＴＥに戻ったときにＩＭＳ再登録を実行しなければならないことになり得る。これは、事業者のＳＭＳ連続再試行ロジックに関する事業者からの入力に基づいて設計される。この構成では、ＵＥがページを受信するためにＬＴＥに離調するとき、ＳＭＳドメインは、短いアウテージ中のＳＭＳドメインの変更を防止するために一定の持続時間の間ＩＭＳ上で維持される。
【００７４】
[0072]本開示の別の態様では、アプリケーションが、ボイス／データハイブリッドモードを可能にするために１ｘ監視のためのＬＴＥからの遷移中にスロットリングされる。アプリケーションのスロットリングは、アプリケーション／ＨＬＯＳ（高レベルオペレーティングシステム）においてバッファオーバーフローを生じ得る。アプリケーションスロットリングは、ＵＥが周期的監視のために１ｘに遷移したとき、およびボイス呼中に、技術変更通知がアプリケーションにポスティングされるのを防止し得る。アプリケーションフロー制御は、ＩＰコンテキストが保存されることを確実にするために１ｘ離調が実行されていることをアプリケーションに示すことを回避するために実行され得る。さもなければ、ＩＰコンテキストは、１ｘ離調の通信がアプリケーションから遮断されない場合、アプリケーションによってティアダウンされる。
【００７５】
[0073]本開示のさらなる態様では、ＵＥは、中断／離調が起こりそうなときを予測する。予測された中断／離調中に、ＵＥは、予測された中断／離調より前に完了され得ないＬＴＥ側のアクティビティに関与しない。１ｘ離調のＵＥ知識に基づいて、１ｘ離調は、１ｘ離調が実行された場合に完了され得ないＬＴＥアクティビティ（たとえば、ＬＴＥトラッキングエリア更新）との重複を回避するために再スケジュールされる。１ｘ離調は、重複の確率を低減するために再スケジュールされる。さらに、ＴＣＰ（伝送制御プロトコル）のための受信ウィンドウは、ネットワーク中のＴＣＰバックオフと不要な輻輳とを防止するために、アクティブデータ遷移中に縮小され得る。たとえば、送信レートが低減され得るか、または１ｘ離調中に送信が停止させられ得る。
【００７６】
[0074]ボイス／データハイブリッドモードは、１ｘページングスロットを時々消失し得る。ページが消失された場合、この構成は１ｘ側からの再試行に依拠する。上記のように、いくつかの高優先度ＬＴＥアクティビティは、１ｘ離調に勝る優先度を与えられる。この構成では、１ｘページを読み取るための中断が、より優先度の高いＬＴＥアクティビティによって却下された後、次のページングオケージョン時に、１ｘページの読取りが優先度を取ることが確実にされるべきである。２つの連続するページを消失する確率が低いことを確実にするために、この構成では、優先度は、２つの連続するページング要求が消失されないように反転させられる（たとえば、１ｘ離調はＬＴＥ優先度に勝つ）。
【００７７】
[0075]図９は、本開示の一態様による、ボイス／データハイブリッドモードを採用する装置９００のためのハードウェア実装形態の一例を示す図である。ボイス／データハイブリッドモードシステム９１４は、バス９２４によって概略的に表されるバスアーキテクチャを用いて実装され得る。バス９２４は、ボイス／データハイブリッドモードシステム９１４の特定の適用例および全体的な設計制約に応じて、任意の数の相互接続バスとブリッジとを含み得る。バス９２４は、プロセッサ９２６によって表される１つまたは複数のプロセッサおよび／またはハードウェアモジュールと、検出モジュール９０２と、適応的実行モジュール９０４と、共有モジュール９０６と、コンピュータ可読媒体９２８とを含む様々な回路を互いにリンクする。バス９２４はまた、タイミングソース、周辺機器、電圧調整器、および電力管理回路など、様々な他の回路をリンクし得るが、これらの回路は当技術分野においてよく知られており、したがって、これ以上説明しない。
【００７８】
[0076]本装置は、トランシーバ９２２に結合されたボイス／データハイブリッドモードシステム９１４を含む。トランシーバ９２２は、１つまたは複数のアンテナ９２０に結合される。トランシーバ９２２は、伝送媒体を介して様々な他の装置と通信するための手段を与える。ボイス／データハイブリッドモードシステム９１４は、コンピュータ可読媒体９２８に結合されたプロセッサ９２６を含む。プロセッサ９２６は、コンピュータ可読媒体９２８に記憶されたソフトウェアの実行を含む一般的な処理を担当する。ソフトウェアは、プロセッサ９２６によって実行されたとき、ボイス／データハイブリッドモードシステム９１４に、特定の装置のための上記で説明した様々な機能を実行させる。コンピュータ可読媒体９２８はまた、ソフトウェアを実行するときにプロセッサ９２６によって操作されるデータを記憶するために使用され得る。
【００７９】
[0077]ボイス／データハイブリッドモードシステム９１４は、第２の無線アクセス技術（ＲＡＴ）離調についての受信された第１のＲＡＴ中断要求に応答して第１のＲＡＴアクティビティを検出するための検出モジュール９０２をさらに含む。システム９１４はまた、検出された第１のＲＡＴアクティビティと第２のＲＡＴ離調アクティビティとの所定の優先度に従って第１のＲＡＴ中断要求を適応的に実行するための適応的実行モジュール９０４を含む。システム９１４はまた、第１のＲＡＴモデムと第２のＲＡＴモデムとの間で第１の受信チェーンと第２の受信チェーンとを共有するための共有モジュール９０６を有する。検出モジュール９０２と適応的実行モジュール９０４と共有モジュールとは、プロセッサ９２６中で動作するか、コンピュータ可読媒体９２８中に常駐する／記憶されたソフトウェアモジュールであるか、プロセッサ９２６に結合された１つまたは複数のハードウェアモジュールであるか、またはそれらの何らかの組合せであり得る。ボイス／データハイブリッドモードシステム９１４はＵＥ６５０の構成要素であり得る。
【００８０】
[0078]一構成では、ワイヤレス通信のための装置９００は、検出するための手段と適応的に実行するための手段とを含む。本手段は、検出手段と適応的実行手段とによって具陳された機能を実行するように構成された装置９００の検出モジュール９０２、適応的実行モジュール９０４および／またはボイス／データハイブリッドモードシステム９１４であり得る。本開示の一態様では、検出手段は、検出手段によって具陳された機能を実行するように構成されたコントローラ／プロセッサ６８０および／またはメモリ６８２であり得る。本開示のこの態様では、適応的実行手段は、適応的実行手段によって具陳された機能を実行するように構成されたコントローラ／プロセッサ６８０および／またはメモリ６８２であり得る。本開示のこの態様では、共有手段は、共有手段によって具陳された機能を実行するように構成されたコントローラ／プロセッサ６８０および／またはメモリ６８２、第１のＲＸ−１プロセッサ６６０−１、第２のＲＸ−２プロセッサ６６０−２、送信ＴＸプロセッサ６７０、および／または第１の受信機６５４−１ＲＸ−１、および／または第２の受信機６５４−２ＲＸ−２であり得る。別の態様では、上述の手段は、上述の手段によって具陳された機能を実行するように構成された任意のモジュールまたは任意の装置であり得る。
【００８１】
[0079]上記の例は、ＬＴＥシステムおよび１ｘシステムにおいて実装される態様について説明するものである。ただし、本開示の範囲はそのように限定されない。様々な態様は、限定はしないが、ＣＤＭＡシステム、ＴＤＭＡシステム、ＦＤＭＡシステム、およびＯＦＤＭＡシステムを含む様々な通信プロトコルのいずれかを採用した通信システムなど、他の通信システムとともに使用するように適応され得る。
【００８２】
[0080]さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【００８３】
[0081]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８４】
[0082]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末内に個別構成要素として常駐することもできる。
【００８５】
[0083]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）およびＢｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００８６】
[0084]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2015507438.tif 000003
【図２】
2015507438.tif 000004
【図３】
2015507438.tif 000005
【図４】
2015507438.tif 000006
【図５】
2015507438.tif 000007
【図６】
2015507438.tif 000008
【図７】
2015507438.tif 000009
【図８】
2015507438.tif 000010
【図９】
2015507438.tif 000011
【国際調査報告】
2015507438.tif 000012
2015507438.tif 000013
2015507438.tif 000014
2015507438.tif 000015
2015507438.tif 000016